(57)【要約】【課題】眼鏡スタンドとして使用できる卓上カレンダーを実現する。【解決手段】互いの上縁を突き合わした配置の前面部１２と背面部１３を有するベース体１０の前面部１２側に眼鏡ＧのレンズＬが位置するように、眼鏡ＧのツルＴを前側係止部２と背側係止部３に架け渡して、その眼鏡Ｇを卓上カレンダー１００に掛け置くことができるので、この卓上カレンダー１００を眼鏡スタンドとして使用することができる。特に、卓上カレンダー１００に掛け置いた眼鏡ＧのツルＴが、背側係止部３において係止片３ｂと背側係止部本体３ａとの間に挟み込まれるので、その眼鏡Ｇはベース体１０に好適に保持されるようになっている。【選択図】図１
2017202586.tif 000002
【特許請求の範囲】
【請求項１】
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされている卓上カレンダーであって、
前記ベース体は、互いの上縁を突き合わした配置の前面部と背面部を有しており、
前記前面部の両側の縁には、同じ高さに前側係止部が設けられ、前記背面部の両側の縁には、同じ高さに背側係止部が設けられており、
前記背側係止部は、眼鏡のツルを下支えする背側係止部本体と、前記背側係止部本体と対向する位置に設けられ、復元可能に弾性変形する係止片を備えており、
前記ベース体の前面部側に眼鏡のレンズが位置するように、前記眼鏡のツルが前記前側係止部と前記背側係止部に架け渡されて係止された状態で、前記係止片が前記背側係止部本体との間に前記ツルを挟み込むように構成されていることを特徴とする卓上カレンダー。
【請求項２】
前記前側係止部は、前記ツルを下支えする前側係止部本体と、前記前側係止部本体と対向する位置に設けられた寸法調整片とを備えており、
前記寸法調整片の一部が切り取られること又は折り曲げられることで、前記前側係止部本体との間隔が調整されることを特徴とする請求項１に記載の卓上カレンダー。
【請求項３】
前記前側係止部本体の上部外縁には、上方に突出した前側突片が設けられていることを特徴とする請求項２に記載の卓上カレンダー。
【請求項４】
前記背側係止部本体の上部外縁には、上方に突出した背側突片が設けられていることを特徴とする請求項１〜３の何れか一項に記載の卓上カレンダー。
【請求項５】
前記背側係止部本体が前記係止片に向けている縁と、前記係止片が前記背側係止部本体に向けている縁の少なくとも一方は、略波形形状に形成されていることを特徴とする請求項１〜４の何れか一項に記載の卓上カレンダー。
【請求項６】
前記ベース体は、前記前面部の下縁と前記背面部の下縁とを繋ぐ配置の底面部を有しており、
前記背面部は、前記底面部に対し垂直に立設されていることを特徴とする請求項１〜５の何れか一項に記載の卓上カレンダー。
【請求項７】
前記複数枚のカレンダー用紙には、それぞれ顔が印刷されており、
前記前面部側に前記カレンダー用紙が配されている場合、前記顔の目が前記前側係止部の間に位置することを特徴とする請求項１〜６の何れか一項に記載の卓上カレンダー。
【請求項８】
前記前面部には前記カレンダー用紙の下端側でその一部が隠れる位置に設けられた折り線と、前記折り線の両端部を繋ぐ切り込みが形成されており、前記切り込みに沿って切られた前記前面部の一部が折り起こされて形成される用紙調整片が設けられていることを特徴とする請求項７に記載の卓上カレンダー。
【発明の詳細な説明】
【技術分野】
【０００１】
本発明は、卓上カレンダーに関する。
【背景技術】
【０００２】
従来、眼鏡を収納することができるポケットを備えた壁掛け式のカレンダーが知られている（例えば、特許文献１参照。）。
このカレンダーのポケットに眼鏡を片付ける習慣を身につければ、眼鏡をうっかりどこかに置き忘れてしまうようなトラブルを減らすことができる。
【先行技術文献】
【特許文献】
【０００３】
【特許文献１】特開平７−２３２４８８号公報
【発明の概要】
【発明が解決しようとする課題】
【０００４】
そこで、卓上カレンダーにも眼鏡を収納するスペースを設けて、眼鏡スタンドとしての機能を付与すれば、眼鏡を置き忘れてしまうトラブルを減らすことができるので、そのような卓上カレンダーが望まれている。
【０００５】
本発明の目的は、眼鏡スタンドとして使用できる卓上カレンダーを提供することである。
【課題を解決するための手段】
【０００６】
以上の課題を解決するため、請求項１に記載の発明は、
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされている卓上カレンダーであって、
前記ベース体は、互いの上縁を突き合わした配置の前面部と背面部を有しており、
前記前面部の両側の縁には、同じ高さに前側係止部が設けられ、前記背面部の両側の縁には、同じ高さに背側係止部が設けられており、
前記背側係止部は、眼鏡のツルを下支えする背側係止部本体と、前記背側係止部本体と対向する位置に設けられ、復元可能に弾性変形する係止片を備えており、
前記ベース体の前面部側に眼鏡のレンズが位置するように、前記眼鏡のツルが前記前側係止部と前記背側係止部に架け渡されて係止された状態で、前記係止片が前記背側係止部本体との間に前記ツルを挟み込むように構成されていることを特徴とする。
【０００７】
請求項１に記載の発明によれば、ベース体の前面部側に眼鏡のレンズが位置するように、眼鏡のツルを前側係止部と背側係止部に架け渡して、その眼鏡を卓上カレンダーに掛け置くことができるので、卓上カレンダーを眼鏡スタンドとして使用することができる。
特に、その眼鏡のツルは、背側係止部において係止片と背側係止部本体との間に挟み込まれるので、卓上カレンダーに掛け置かれた眼鏡はベース体に好適に保持される。
例えば、一般的な眼鏡はレンズ側に重心があるので、単に眼鏡のツルを前側係止部と背側係止部に架け渡しただけでは、レンズの重みで眼鏡が前傾してしまうことがある。
これに対し、本発明に係る卓上カレンダーは、ベース体の背側係止部の背側係止部本体と対向する位置に、弾性変形可能な係止片が設けられており、卓上カレンダーに掛け置かれた眼鏡のツルは、係止片と背側係止部本体とで挟持されるので、眼鏡がレンズの重みで前傾するなど姿勢を崩し難くなり、眼鏡の姿勢を安定させることができる。
つまり、この卓上カレンダーは、眼鏡スタンドとして好適に使用することができる。
【０００８】
請求項２に記載の発明は、請求項１に記載の卓上カレンダーにおいて、
前記前側係止部は、前記ツルを下支えする前側係止部本体と、前記前側係止部本体と対向する位置に設けられた寸法調整片とを備えており、
前記寸法調整片の一部が切り取られること又は折り曲げられることで、前記前側係止部本体との間隔が調整されることを特徴とする。
【０００９】
請求項２に記載の発明によれば、眼鏡のツルの太さに応じて、寸法調整片の一部を切り取ったり折り曲げたりすることで、寸法調整片と前側係止部本体との間隔を調整することができるので、様々なタイプの眼鏡を卓上カレンダーに掛け置くことができる。
【００１０】
請求項３に記載の発明は、請求項２に記載の卓上カレンダーにおいて、
前記前側係止部本体の上部外縁には、上方に突出した前側突片が設けられていることを特徴とする。
【００１１】
請求項３に記載の発明によれば、前側係止部に架けられた眼鏡のツルが前側突片に当接することで、前側係止部本体からずり落ち難くなり、卓上カレンダーに掛け置いた眼鏡の姿勢を安定させることができる。
【００１２】
請求項４に記載の発明は、請求項１〜３の何れか一項に記載の卓上カレンダーにおいて、
前記背側係止部本体の上部外縁には、上方に突出した背側突片が設けられていることを特徴とする。
【００１３】
請求項４に記載の発明によれば、背側係止部に架けられた眼鏡のツルが背側突片に当接することで、背側係止部本体からずり落ち難くなり、卓上カレンダーに掛け置いた眼鏡の姿勢を安定させることができる。
【００１４】
請求項５に記載の発明は、請求項１〜４の何れか一項に記載の卓上カレンダーにおいて、
前記背側係止部本体が前記係止片に向けている縁と、前記係止片が前記背側係止部本体に向けている縁の少なくとも一方は、略波形形状に形成されていることを特徴とする。
【００１５】
請求項５に記載の発明によれば、背側係止部本体や係止片の縁が略波形形状に形成されていることで、背側係止部本体と係止片との間に挟み込んだツルがずれ難くなるので、背側係止部本体と係止片とでツルをより好適に挟持し、卓上カレンダーに架けられた眼鏡を好適に保持することができる。
【００１６】
請求項６に記載の発明は、請求項１〜５の何れか一項に記載の卓上カレンダーにおいて、
前記ベース体は、前記前面部の下縁と前記背面部の下縁とを繋ぐ配置の底面部を有しており、
前記背面部は、前記底面部に対し垂直に立設されていることを特徴とする。
【００１７】
請求項６に記載の発明によれば、ベース体の背面部が底面部に対し垂直に立設されているので、前面部側から背面部側へ移動させたカレンダー用紙を自立させて、その自立したカレンダー用紙をベース体の姿勢保持部材として機能させることができる。
例えば、万年日めくりカレンダーのように、多くのカレンダー用紙がベース体に綴じられている場合、そのカレンダー用紙の重みによってベース体に歪みが生じてしまうことがある。
これに対し、本発明に係る卓上カレンダーのベース体のように、背面部側へ移動させたカレンダー用紙を自立させて姿勢保持部材として機能させることができれば、ベース体の歪みを生じ難くすることができる。
【００１８】
請求項７に記載の発明は、請求項１〜６の何れか一項に記載の卓上カレンダーにおいて、
前記複数枚のカレンダー用紙には、それぞれ顔が印刷されており、
前記前面部側に前記カレンダー用紙が配されている場合、前記顔の目が前記前側係止部の間に位置することを特徴とする。
【００１９】
請求項７に記載の発明によれば、卓上カレンダーに眼鏡を掛け置いた際に、カレンダー用紙に印刷されている顔が眼鏡を掛けたような状態になる。こうすることで、ユーザーは眼鏡の有無による顔の表情変化を楽しむことができる。
また、ユーザーは、眼鏡の有無による顔の表情変化を楽しむことに加え、様々なタイプの眼鏡を付け替えて、眼鏡の着せ替えを行うようにして顔の表情変化を楽しむこともできる。このように、卓上カレンダーに掛け置く眼鏡を付け替えるなどすれば、趣向性に富んだ卓上カレンダーとして使用することができる。
【００２０】
請求項８に記載の発明は、請求項７に記載の卓上カレンダーにおいて、
前記前面部には前記カレンダー用紙の下端側でその一部が隠れる位置に設けられた折り線と、前記折り線の両端部を繋ぐ切り込みが形成されており、前記切り込みに沿って切られた前記前面部の一部が折り起こされて形成される用紙調整片が設けられていることを特徴とする。
ここでの切り込みは、折り線と重ならず、また交差しないように形成されている。
【００２１】
請求項８に記載の発明によれば、前面部の一部を折り起こして用紙調整片を形成すれば、用紙調整片の上端部にカレンダー用紙の下端部が載った状態になり、その用紙調整片によってカレンダー用紙を僅かに持ち上げた位置にずらすように調整できる。
こうすることで、卓上カレンダーに掛け置いた眼鏡に対し、カレンダー用紙に印刷されている顔の位置を調整できる。
【発明の効果】
【００２２】
本発明によれば、眼鏡スタンドとして使用できる卓上カレンダーが得られる。
【図面の簡単な説明】
【００２３】
【図１】実施形態１の卓上カレンダーの前面側を示す斜視図である。
【図２】実施形態１の卓上カレンダーの背面側を示す斜視図である。
【図３】卓上カレンダーを示す側面図である。
【図４】卓上カレンダーを折り畳んだ状態を示す側面図である。
【図５】実施形態１の卓上カレンダーに眼鏡を掛け置いた状態を示す斜視図である。
【図６】実施形態１の卓上カレンダーに眼鏡を掛け置いた状態を示す斜視図である。
【図７】卓上カレンダーの背面側にカレンダー用紙を移動させた状態を示す斜視図である。
【図８】実施形態１の卓上カレンダーの変形例を示す斜視図である。
【図９】実施形態１の卓上カレンダーの変形例を示す斜視図である。
【図１０】実施形態１の卓上カレンダーの変形例を示す斜視図である。
【図１１】実施形態２の卓上カレンダーの前面側を示す斜視図である。
【図１２】実施形態２の卓上カレンダーの背面側を示す斜視図である。
【図１３】実施形態２の卓上カレンダーに眼鏡を掛け置いた状態を示す斜視図である。
【図１４】実施形態２の卓上カレンダーの変形例を示す斜視図である。
【図１５】実施形態３の卓上カレンダーの前面側を示す斜視図である。
【図１６】実施形態３の卓上カレンダーの背面側を示す斜視図である。
【発明を実施するための形態】
【００２４】
以下、図面を参照して、本発明に係る卓上カレンダーの実施形態について詳細に説明する。但し、以下に述べる実施形態には、本発明を実施するために技術的に好ましい種々の限定が付されているが、本発明の範囲を以下の実施形態及び図示例に限定するものではない。
本実施形態の卓上カレンダー１００は、眼鏡スタンドとして使用することを可能にしたものである。
【００２５】
（実施形態１）
図１は、実施形態１の卓上カレンダー１００の前面側を示す斜視図であり、図２は、その卓上カレンダー１００の背面側を示す斜視図である。図３は、卓上カレンダー１００の側面図である。
【００２６】
卓上カレンダー１００は、図１に示すように、上縁側に複数の孔Ｈが形成されているベース体１０と、一辺側に複数の孔Ｈが形成されている複数枚のカレンダー用紙２０とを備え、そのベース体１０と複数枚のカレンダー用紙２０がそれぞれの孔Ｈを貫く綴じ具３０によって綴じられている。
【００２７】
ベース体１０は、所定箇所に切欠きが設けられている硬質紙（厚台紙）を、例えば、側面視略「４」字形状を呈するような略三角形状に折り曲げて形成した部材である。
ベース体１０は、前面部１２と背面部１３と底面部１４を有している。
前面部１２と背面部１３は互いの上縁を突き合わした配置になっており、底面部１４は前面部１２の下縁と背面部１３の下縁とを繋ぐ配置になっている。この底面部１４は、前面部１２と一体の部分と背面部１３と一体の部分とが重なった構造になっている。
【００２８】
具体的に、前面部１２と背面部１３の境と、前面部１２の下端で硬質紙が山折りされている。また、背面部１３の下端で硬質紙が谷折りされ、その谷折り箇所よりも先で硬質紙が山折りされて折り返されている。この折り返し部分で硬質紙が二重になるように接着されている。
また、山折りされた状態で前面部１２と一体になっている硬質紙の一部が底面部１４となり、谷折りされた状態で背面部１３と一体になっている硬質紙の一部が底面部１４となる。なお、背面部１３側の底面部１４には、谷折り状の折り目１４Ｌが形成されている。
そして、前面部１２側の底面部１４であって前面部１２下端寄りの底面部１４の一部と、背面部１３側の底面部１４であって折り目１４Ｌよりも先の自由端側の底面部１４の一部とが接着されている（図４参照）。
【００２９】
また、前面部１２側の底面部１４の端部には凸片１４ａが形成されており、その凸片１４ａを背面部１３の係止スリット１３ａに挿し込むように係止して、ベース体１０が組み立てられている。このベース体１０が組み立てられた状態で、背面部１３は底面部１４に対し垂直に立設されている。なお、係止スリット１３ａは、背面部１３が底面部１４と接する位置に設けられている。
具体的に、係止スリット１３ａは、背面部１３が底面部１４と接する位置に略Ｈ字形状の切り込みを形成して設けられている。
この係止スリット１３ａは、凸片１４ａの厚みに相当する隙間を有しており、係止スリット１３ａに凸片１４ａを好適に挿し込むことが可能になっている。
また、係止スリット１３ａの上部には撓ませることができる可撓片１３ｃが形成されているので、係止スリット１３ａに凸片１４ａを挿し込んだり、係止スリット１３ａから凸片１４ａを外したりし易くなっている。
そして、図４に示すように、背面部１３の係止スリット１３ａから底面部１４の凸片１４ａを外した状態で、その凸片１４ａを綴じ具３０側に向けつつ、底面部１４の折り目１４Ｌを谷折りするようにして、ベース体１０（卓上カレンダー１００）を折り畳むことができる。
【００３０】
なお、ベース体１０は紙製であることに限らず、薄い樹脂板を折り曲げて形成したものや、ユポ（登録商標）など合成樹脂を主原料とする合成紙を折り曲げて形成したものでもよい。
【００３１】
このベース体１０の前面部１２の両側の縁には、同じ高さに前側係止部２が設けられており、背面部１３の両側の縁には、同じ高さに背側係止部３が設けられている。
前側係止部２と背側係止部３は、ベース体１０に眼鏡ＧのツルＴを架けるために設けられている。
【００３２】
背側係止部３は、眼鏡ＧのツルＴを下支えする背側係止部本体３ａと、背側係止部本体３ａと対向する位置に設けられた係止片３ｂとを備えている。
本実施形態１の背側係止部３は、例えば、ポリ塩化ビニル製の薄い樹脂板の両側縁に略Ｌ字状の切り込みを形成して設けられた背側係止部本体３ａと係止片３ｂを有している。
また、背面部１３の両側の縁には略コ字状に切り欠かれてなる切欠部１３ｂが形成されている。その切欠部１３ｂの位置に背側係止部本体３ａと係止片３ｂとが対向している部分を対応させて、左右一対の背側係止部３が形成されている樹脂板が背面部１３に貼付されるなどして取り付けられている。
こうして、背面部１３に背側係止部３が設けられている。なお、背面部１３の切欠部１３ｂも背側係止部３の一部を成している。
【００３３】
背側係止部本体３ａは、背面部１３に取り付けられている樹脂板の一部が底面部１４と平行に切断されている部分であり、その上縁部分が背側係止部３に架けられた眼鏡ＧのツルＴに当接して、そのツルＴを下支えする。
係止片３ｂは、復元可能に弾性変形する係止部であり、例えば、図５に示すように、ベース体１０の前面部１２側に眼鏡ＧのレンズＬが位置するように、眼鏡ＧのツルＴが前側係止部２と背側係止部３に架け渡されて係止された状態で、係止片３ｂが背側係止部本体３ａとの間にツルＴを挟み込むようになっている。
つまり、背側係止部３は、係止片３ｂと背側係止部本体３ａとの間にツルＴを挟持するようにして、ベース体１０に架けられた眼鏡Ｇを保持することができる。
【００３４】
また、背側係止部本体３ａの上部外縁には、上方に突出した背側突片３ｃが設けられている。
この背側突片３ｃは、背側係止部３に架けられた眼鏡ＧのツルＴが背側係止部本体３ａからずり落ち難くするための突起物である。
なお、本実施形態１の卓上カレンダー１００の背側係止部３（背側係止部本体３ａ、係止片３ｂ）の一部は、背面部１３の幅方向に張り出すように設けられている。
【００３５】
前側係止部２は、眼鏡ＧのツルＴを下支えする前側係止部本体２ａと、前側係止部本体２ａと対向する位置に設けられた寸法調整片２ｂとを備えている。
この前側係止部２は、前面部１２の側縁が略Ｌ字状に切り欠かれて形成されている。本実施形態１では、前側係止部本体２ａと寸法調整片２ｂの間に隙間があるように前側係止部２が形成されており、この隙間が眼鏡ＧのツルＴを通す箇所の目印となっている。
【００３６】
前側係止部本体２ａは、前面部１２の一部が底面部１４と平行に切断されている部分であり、その上縁部分が前側係止部２に架けられた眼鏡ＧのツルＴに当接して、そのツルＴを下支えする。
寸法調整片２ｂは、その一部を切り取ること又は折り曲げることで、前側係止部本体２ａとの間隔を広げるように調整するために設けられている。
つまり、前側係止部本体２ａと寸法調整片２ｂの間にある当初の隙間よりも太い眼鏡ＧのツルＴを前側係止部２に架ける場合、図６に示すように、ツルＴの太さに応じて寸法調整片２ｂの一部を切り取ったり折り曲げたりするようにして、前側係止部本体２ａと寸法調整片２ｂとの間隔を調整することができる。ここでは、寸法調整片２ｂの一部を切り取って間隔調整した態様を示している。
【００３７】
また、前側係止部本体２ａの上部外縁には、上方に突出した前側突片２ｃが設けられている。
この前側突片２ｃは、前側係止部２に架けられた眼鏡ＧのツルＴが前側係止部本体２ａからずり落ち難くするための突起物である。
本実施形態１の卓上カレンダー１００のベース体１０の前側突片２ｃは、前面部１２の幅方向に張り出した位置に設けられている。
【００３８】
カレンダー用紙２０は、例えば少なくとも一方の面に暦の情報が印刷されている洋紙である。
複数枚のカレンダー用紙２０はリング状の綴じ具３０によってベース体１０に綴じられており、そのカレンダー用紙２０が１枚ずつ回動されて、ベース体１０の前面部１２側から背面部１３側へ移動可能になっている。
本実施形態の卓上カレンダー１００は、万年日めくりカレンダーであり、例えば１日から３１日までの３１枚のカレンダー用紙２０がベース体１０に綴じられている。
【００３９】
特に、本実施形態の卓上カレンダー１００のカレンダー用紙２０には、それぞれ顔が印刷されており、そのカレンダー用紙２０がベース体１０の前面部１２側に配されている場合、その顔の目が左右一対の前側係止部２の間に位置するようになっている。
本実施形態の卓上カレンダー１００では、３１枚のカレンダー用紙２０に３１匹の猫の顔が印刷されている。
こうすることで、図５、図６に示すように、卓上カレンダー１００に眼鏡Ｇを掛け置いた際に、カレンダー用紙２０に印刷されている顔が眼鏡Ｇを掛けたような状態になる。
そして、ユーザーは眼鏡Ｇの有無による顔の表情変化を楽しむことができる。
【００４０】
また、ベース体１０の背面部１３は底面部１４に対し垂直に立設されているので、図７に示すように、前面部１２側から背面部１３側へ移動させたカレンダー用紙２０を、背面部１３に沿って自立させるようにすることができる。
万年日めくりカレンダーのように、多くのカレンダー用紙２０がベース体１０に綴じられている場合、そのカレンダー用紙２０の重みによって、ベース体１０に歪みが生じてしまうことがある。
これに対し、本実施形態のベース体１０のように、底面部１４に対し垂直に立設されている背面部１３を有しているものであれば、背面部１３側へ移動させたカレンダー用紙２０を自立させることができ、その自立したカレンダー用紙２０をベース体１０の姿勢保持部材として機能させることができるので、ベース体１０の歪みを生じ難くすることができる。
【００４１】
綴じ具３０は、例えば、金属材料、樹脂材料あるいは紙材料からなり、ベース体１０に複数枚のカレンダー用紙２０を回動可能に保持している。
この綴じ具３０は、複数のリング部材からなるものであっても、複数のリング部が一体に形成された部材であってもよい。
本実施形態の卓上カレンダー１００では、ベース体１０の上縁側に４つの孔Ｈが２組形成されており、そのベース体１０の孔Ｈに対応するように、複数枚のカレンダー用紙２０の一辺側に４つの孔Ｈが２組形成されている。
そして、Ｏ字状の４つのリング部が一体に形成されている２つの綴じ具３０によって、複数枚のカレンダー用紙２０がベース体１０に回動可能に綴じられている。
【００４２】
以上のように、実施形態１の卓上カレンダー１００であれば、ベース体１０の前面部１２側に眼鏡ＧのレンズＬが位置するように、眼鏡ＧのツルＴを前側係止部２と背側係止部３に架け渡して、その眼鏡Ｇを卓上カレンダー１００に掛け置くことができるので、卓上カレンダー１００を眼鏡スタンドとして使用することができる。
【００４３】
特に、その眼鏡ＧのツルＴは、背側係止部３において係止片３ｂと背側係止部本体３ａとの間に挟み込まれるので、卓上カレンダー１００に掛け置かれた眼鏡Ｇはベース体１０に好適に保持される。
例えば、一般的な眼鏡ＧはレンズＬ側に重心があるので、単に眼鏡ＧのツルＴを前側係止部２と背側係止部３に架け渡しただけでは、レンズＬの重みで眼鏡Ｇが前傾してしまったり、卓上カレンダー１００（ベース体１０）から落ちてしまったりし易い。
これに対し、本実施形態の卓上カレンダー１００は、ベース体１０の背側係止部３の背側係止部本体３ａと対向する位置に、弾性変形可能な係止片３ｂが設けられており、卓上カレンダー１００に掛け置かれた眼鏡ＧのツルＴは、係止片３ｂと背側係止部本体３ａとで挟持されるので、眼鏡ＧがレンズＬの重みで前傾するなど姿勢を崩し難くなる。
つまり、実施形態１の卓上カレンダー１００は、眼鏡スタンドとして好適に使用することができる。
【００４４】
そして、卓上カレンダー１００に掛け置いた眼鏡Ｇを所定の位置に保持することができれば、カレンダー用紙２０に印刷されている顔が眼鏡Ｇを掛けたような状態を好適に維持することができる。
また、ユーザーは、眼鏡Ｇの有無による顔の表情変化を楽しむことに加え、様々なタイプの眼鏡Ｇを付け替えて、眼鏡Ｇの着せ替えを行うようにして顔の表情変化を楽しむこともできる。
このように、卓上カレンダー１００に掛け置く眼鏡Ｇを付け替えるなどすれば、趣向性に富んだ卓上カレンダーとして使用することができる。
【００４５】
また、本実施形態のベース体１０のように、底面部１４に対し垂直に立設されている背面部１３を有していれば、背面部１３側へ移動させたカレンダー用紙２０を自立させて、その自立したカレンダー用紙２０をベース体１０の姿勢保持部材として機能させることができるので、ベース体１０の歪みを生じ難くすることができる。
つまり、このような構造を有するベース体１０は、万年日めくりカレンダーのように長期間使用する卓上カレンダー１００に適したものであり、卓上カレンダー１００を長期に亘って使用することが可能になる。
【００４６】
なお、本発明は上記実施形態に限られるものではない。
例えば、図８に示すように、背側係止部本体３ａが係止片３ｂに向けている縁と、係止片３ｂが背側係止部本体３ａに向けている縁の少なくとも一方が、略波形形状に形成されていてもよい。ここでは、背側係止部本体３ａと係止片３ｂのそれぞれの縁が略波形形状に形成されている態様を示している。
このように背側係止部本体３ａと係止片３ｂの縁が略波形形状に形成されていれば、背側係止部本体３ａと係止片３ｂとの間に挟み込んだツルＴがずれ難くなるので、背側係止部本体３ａと係止片３ｂとでツルＴをより好適に挟持し、ベース体１０に架けられた眼鏡Ｇを好適に保持することができる。
【００４７】
また、例えば、図９、図１０に示すように、ベース体１０の前面部１２に用紙調整片１２ａを設けてもよい。用紙調整片１２ａは、カレンダー用紙２０の上下位置を調整するために設けられている。
図９に示すように、前面部１２にはカレンダー用紙２０の下端側でその一部が隠れる位置に設けられた折り線１２ｂと、その折り線１２ｂの両端部を繋ぐ切り込み１２ｃが形成されている。そして、図１０に示すように、切り込み１２ｃに沿って切られた前面部１２の一部を折り線１２ｂに沿って折り起こして、用紙調整片１２ａを形成することができる。
【００４８】
本実施形態の用紙調整片１２ａは、例えば、略「フ」字形状の切り込み１２ｃを前面部１２に形成し、その切り込み１２ｃに沿って切り離した部分を折り線１２ｂに沿って表側に折り起こして設けられている。
特に、折り線１２ｂの上部がカレンダー用紙２０の下端側で隠れる位置に形成されているので、用紙調整片１２ａを折り起こすと、用紙調整片１２ａの上端部にカレンダー用紙２０の下端部が載った状態になる。
なお、この切り込み１２ｃは、折り線１２ｂと重ならず、また折り線１２ｂと交差しないように形成されている。また、切り込み１２ｃは、略「フ」字形状であることに限らず、例えば、略「コ」字形状などであってもよい。また、切り込み１２ｃは、鏡文字の「フ」字形状や、鏡文字の「コ」字形状などであってもよい。
【００４９】
カレンダー用紙２０の上端部はリング状の綴じ具３０で綴じられており、カレンダー用紙２０は吊り下がった状態で保持されているので、このカレンダー用紙２０にはその綴じ代分の遊びがあり、上下に僅かにずらすことが可能になっている。
つまり、前面部１２の一部を折り起こした用紙調整片１２ａの上端部にカレンダー用紙の下端部を載せるようにすれば、この用紙調整片１２ａによってカレンダー用紙２０を僅かに持ち上げた位置にずらすように調整できるようになっている。
そして、用紙調整片１２ａを利用してカレンダー用紙２０を僅かに持ち上げた位置にずらすようにすれば、カレンダー用紙２０に印刷されている顔と眼鏡Ｇの位置を調整できる。こうして、卓上カレンダー１００に掛け置いた眼鏡Ｇに対し、カレンダー用紙２０に印刷されている顔の位置を調整して、その顔が眼鏡Ｇを適正に掛けた状態にすることができる。
なお、卓上カレンダー１００に掛け置いた眼鏡Ｇと、カレンダー用紙２０に印刷されている顔の位置が適正である場合には、用紙調整片１２ａを折り起こさず使用しないようにする。
【００５０】
（実施形態２）
次に、本発明に係る卓上カレンダーの実施形態２について説明する。なお、実施形態１と同様の構成については、同符号を付して説明を割愛する。
【００５１】
図１１は、実施形態２の卓上カレンダー１００の前面側を示す斜視図であり、図１２は、その卓上カレンダー１００の背面側を示す斜視図である。
本実施形態２の背側係止部３は、背面部１３の側縁が略Ｌ字状に切り込まれて形成された背側係止部本体３ａと係止片３ｂを有している。
また、本実施形態２の前側係止部２は、前面部１２の側縁が略Ｌ字状に切り込まれて形成された前側係止部本体２ａと寸法調整片２ｂを有している。
【００５２】
背側係止部本体３ａは、背面部１３の一部が底面部１４と平行に切断されている部分であり、その上縁部分が背側係止部３に架けられた眼鏡ＧのツルＴに当接して、そのツルＴを下支えする。この背側係止部本体３ａの上部外縁には、上方に突出した背側突片３ｃが設けられている。
係止片３ｂは、復元可能に弾性変形する係止部であり、例えば、図１３に示すように、ベース体１０の前面部１２側に眼鏡ＧのレンズＬが位置するように、眼鏡ＧのツルＴが前側係止部２と背側係止部３に架け渡されて係止された状態で、係止片３ｂが背側係止部本体３ａとの間にツルＴを挟み込むようになっている。つまり、背側係止部３は、係止片３ｂと背側係止部本体３ａとの間にツルＴを挟持するようにして、ベース体１０に架けられた眼鏡Ｇを保持することができる。
このように、本実施形態２の卓上カレンダー１００の背側係止部３（背側係止部本体３ａ、係止片３ｂ）は、背面部１３と一体に設けられている。
【００５３】
前側係止部本体２ａは、前面部１２の一部が底面部１４と平行に切断されている部分であり、その上縁部分が前側係止部２に架けられた眼鏡ＧのツルＴに当接して、そのツルＴを下支えする。この前側係止部本体２ａの上部外縁には、上方に突出した前側突片２ｃが設けられている。
寸法調整片２ｂは、その一部を切り取ること又は折り曲げることで、前側係止部本体２ａとの間隔を調整するために設けられている。つまり、眼鏡ＧのツルＴを前側係止部２に架ける場合、図１３に示すように、ツルＴの太さに応じて寸法調整片２ｂの一部を切り取ったり折り曲げたりするようにして、前側係止部本体２ａと寸法調整片２ｂとの間隔を調整することができる。ここでは、寸法調整片２ｂの一部を折り曲げて間隔調整した態様を示している。
このように、本実施形態２の卓上カレンダー１００の前側係止部２（前側係止部本体２ａ、寸法調整片２ｂ）は、前面部１２と一体に設けられている。
【００５４】
以上のように、実施形態２の卓上カレンダー１００であっても、卓上カレンダー１００に掛け置かれた眼鏡ＧのツルＴを、係止片３ｂと背側係止部本体３ａとで挟持することができ、その眼鏡ＧがレンズＬの重みで前傾するなど姿勢を乱すことを防ぐことができる。
つまり、実施形態２の卓上カレンダー１００も、眼鏡スタンドとして好適に使用することができる。
【００５５】
なお、本発明は上記実施形態に限られるものではない。
例えば、図１４に示すように、背側係止部本体３ａが係止片３ｂに向けている縁と、係止片３ｂが背側係止部本体３ａに向けている縁の少なくとも一方が、略波形形状に形成されていてもよい。ここでは、背側係止部本体３ａと係止片３ｂのそれぞれの縁が略波形形状に形成されている態様を示している。
このように背側係止部本体３ａと係止片３ｂの縁が略波形形状に形成されていれば、背側係止部本体３ａと係止片３ｂとの間に挟み込んだツルＴがずれ難くなるので、背側係止部本体３ａと係止片３ｂとでツルＴをより好適に挟持し、ベース体１０に架けられた眼鏡Ｇを好適に保持することができる。
【００５６】
（実施形態３）
次に、本発明に係る卓上カレンダーの実施形態３について説明する。なお、実施形態１と同様の構成については、同符号を付して説明を割愛する。
【００５７】
図１５は、実施形態３の卓上カレンダー１００の前面側を示す斜視図であり、図１６は、その卓上カレンダー１００の背面側を示す斜視図である。
【００５８】
本実施形態３の背側係止部３は、例えば、ポリ塩化ビニル製の薄い樹脂板の側縁に略Ｌ字状の切り込みを形成して設けられた背側係止部本体３ａと係止片３ｂを有している。この背側係止部本体３ａと係止片３ｂが形成されている樹脂板を背面部１３の両側に貼付するなどして取り付けて、背面部１３に背側係止部３が設けられている。
また、本実施形態３の前側係止部２は、例えば、ポリ塩化ビニル製の薄い樹脂板の側縁に略Ｌ字状の切り込みを形成して設けられた前側係止部本体２ａと寸法調整片２ｂを有している。この前側係止部本体２ａと寸法調整片２ｂが形成されている樹脂板を前面部１２の両側に貼付するなどして取り付けて、前面部１２に前側係止部２が設けられている。
【００５９】
このように、本実施形態３の卓上カレンダー１００の背側係止部３（背側係止部本体３ａ、係止片３ｂ）と前側係止部２（前側係止部本体２ａ、寸法調整片２ｂ）は、ベース体１０とは別体の部材で形成されている。
【００６０】
以上のように、実施形態３の卓上カレンダー１００であっても、卓上カレンダー１００に掛け置かれた眼鏡ＧのツルＴを、係止片３ｂと背側係止部本体３ａとで挟持することができ、その眼鏡ＧがレンズＬの重みで前傾するなど姿勢を乱すことを防ぐことができる。
つまり、実施形態３の卓上カレンダー１００も、眼鏡スタンドとして好適に使用することができる。
【００６１】
以上、上述したように、本発明に係る卓上カレンダー１００であれば、ベース体１０の前面部１２側に眼鏡ＧのレンズＬが位置するように、眼鏡ＧのツルＴを前側係止部２と背側係止部３に架け渡して、その眼鏡Ｇを卓上カレンダー１００に掛け置くことができるので、卓上カレンダー１００を眼鏡スタンドとして使用することができる。
また、この卓上カレンダー１００のカレンダー用紙２０には顔が印刷されており、卓上カレンダー１００に眼鏡Ｇを掛け置いた際に、カレンダー用紙２０に印刷されている顔が眼鏡Ｇを掛けたような状態になるので、ユーザーは眼鏡Ｇの有無による顔の表情変化を楽しむことができる。
【００６２】
なお、以上の実施の形態においては、卓上カレンダー１００は、万年日めくりカレンダーであり、１日から３１日までの３１枚のカレンダー用紙２０がベース体１０に綴じられているとしたが、本発明はこれに限定されるものではなく、月毎のカレンダー用紙が１２枚綴じられている卓上カレンダーであってもよい。勿論、週めくりの卓上カレンダーであっても、２か月めくりの卓上カレンダーなどであってもよい。
【００６３】
また、本実施形態の卓上カレンダー１００では、３１枚のカレンダー用紙２０に３１匹の猫の顔が印刷されているとしたが、本発明はこれに限定されるものではなく、カレンダー用紙２０に印刷されている顔は任意であり、例えば、３１枚のカレンダー用紙２０に３１匹の犬の顔が印刷されていたり、動物園で飼育されている３１種類の動物の顔が印刷されていたりしてもよい。また、３１人のタレントやモデルの顔、またアニメなどのキャラクターの顔が印刷されていてもよい。
また、カレンダー用紙２０に印刷されている顔は、写真であってもイラストであってもよい。
【００６４】
また、背側係止部本体３ａや係止片３ｂの縁に形成されている略波形形状も任意であり、例えば、サインカーブ状の波形形状（正弦波形状）、トライアングル状の波形形状（三角波形状）、スクエア状の波形形状（矩形波形状）などであってもよい。
【００６５】
また、実施形態２の卓上カレンダー１００や、実施形態３の卓上カレンダー１００にも、用紙調整片１２ａを適用してもよい。
【００６６】
また、その他、具体的な細部構造等についても適宜に変更可能であることは勿論である。
【符号の説明】
【００６７】
２      前側係止部
２ａ    前側係止部本体
２ｂ    寸法調整片
２ｃ    前側突片
３      背側係止部
３ａ    背側係止部本体
３ｂ    係止片
３ｃ    背側突片
１０    ベース体
１２    前面部
１２ａ  用紙調整片
１２ｂ  折り線
１２ｃ  切り込み
１３    背面部
１３ａ  係止スリット
１３ｂ  切欠部
１３ｃ  可撓片
１４    底面部
１４ａ  凸片
１４Ｌ  折り目
２０    カレンダー用紙
３０    綴じ具
１００  卓上カレンダー
Ｈ      孔
Ｇ      眼鏡
Ｌ      レンズ
Ｔ      ツル
【図１】
2017202586.tif 000003
【図２】
2017202586.tif 000004
【図３】
2017202586.tif 000005
【図４】
2017202586.tif 000006
【図５】
2017202586.tif 000007
【図６】
2017202586.tif 000008
【図７】
2017202586.tif 000009
【図８】
2017202586.tif 000010
【図９】
2017202586.tif 000011
【図１０】
2017202586.tif 000012
【図１１】
2017202586.tif 000013
【図１２】
2017202586.tif 000014
【図１３】
2017202586.tif 000015
【図１４】
2017202586.tif 000016
【図１５】
2017202586.tif 000017
【図１６】
2017202586.tif 000018